(57)【要約】【課題】券長の長短に関わらず無駄時間が発生せず、また、様々な券長の紙葉類が処理される場合にも高い処理効率を発揮することができる紙葉類処理装置を提供することを目的とする。【解決手段】取出装置１０によって紙葉類間の間隔が一定（Ｌｋ）となるように取出された紙葉類を一定速度で搬送し、この搬送路の中途部分に当該紙葉類を検知する複数の搬送センサを配置し、紙葉類の搬送速度を算出する。この算出した搬送速度に基づき紙葉類の先端が羽根車に到達する迄の到達時間を算出する。一方、回転検知装置１２０は羽根車１００の回転を検知し、羽根車１００の各羽根Ｆ１〜Ｆ８の位置を把握する。計測した到達時間及び各羽根Ｆ１〜Ｆ８の位置に基づき紙葉類が羽根車１００の回転速度を制御することにより紙葉類を羽根車１００に適切に収納する。【選択図】図１
2010238152.tif 000002
【特許請求の範囲】
【請求項１】
集積された複数枚の紙葉類を紙葉類間の間隔が一定となるように１枚ずつ取り出す取出装置と、
前記取出装置によって取り出された紙葉類を搬送する搬送手段と、
前記搬送手段により搬送される紙葉類からこの紙葉類の持つ情報を検出する検出手段と、
前記検出手段の検出結果にしたがって前記搬送手段により搬送される紙葉類を区分する区分手段と、
回転方向に所定間隔をおいて配置される複数枚の羽根を有し、回転することにより前記羽根と羽根との間に前記区分手段により区分された紙葉類を進入させて所定方向に案内する羽根車と、
前記搬送手段によって搬送される紙葉類が第１の位置に到達したことを検知する第１の検知手段と、
前記第１の位置よりも第１の距離離れた搬送方向下流の第２の位置に紙葉類が到達したことを検知する第２の検知手段と、
前記第１の距離及び前記第１の検知手段によって検知された当該紙葉類が第２の検知手段によって検知されるまでの時間に基づいて前記当該紙葉類の搬送速度を算出する搬送速度算出手段と、
前記第２の位置から前記羽根車までの第２の距離及び前記搬送速度算出手段によって算出された搬送速度に基づいて、前記当該紙葉類が前記第２の位置から前記羽根車に到達するまでの到達時間を算出する到達時間算出手段と、
前記第２の位置に前記当該紙葉類が到達してから前記到達時間経過後の前記羽根車の各羽根の位置を予測する予測手段と、
前記予測手段によって予測される各羽根の位置に基づいて、紙葉類の先端が自ポイントに到達した場合に各羽根の間に適切に収納される収納最適ポイントと前記当該紙葉類の先端との差異が生じるか否かを判定する判定手段と、
前記判定手段によって差異が生じると判定されたとき、前記羽根車の回転速度を制御する回転制御手段と、
前記羽根車により案内される紙葉類を集積する集積部と、
を有することを特徴とする紙葉類処理装置。
【請求項２】
前記紙葉類処理装置は、
前記搬送手段によって搬送される紙葉類の後端を検知する第３の検知手段を更に有し、
前記取出装置は、
前記第３の検知手段によって第１の紙葉類の後端が検知されたことに基づいて前記第１の紙葉類の下に集積された第２の紙葉類を取り出すことを特徴とする請求項１記載の紙葉類処理装置。
【請求項３】
前記回転制御手段は、
前記判定手段によって前記当該紙葉類が前記収納最適ポイントよりも早く前記羽根車に到達すると判定されたとき、前記羽根車の回転速度を速める制御をし、前記収納最適ポイントよりも遅く前記羽根車に到達すると判定されたとき、前記羽根車の回転速度を遅らせる制御をすること特徴とする請求項１及び請求項２記載の紙葉類処理装置。
【発明の詳細な説明】
【技術分野】
【０００１】
本発明は、紙葉類処理装置に関する。
【背景技術】
【０００２】
従来の紙葉類処理装置は、処理単位に応じて一括して供給された紙葉類束（例えば、１０００枚）から取出装置によって紙葉類を一定ピッチで１枚ずつ取り出して搬送し、紙葉類判別装置によって当該紙葉類の真偽（真券か偽券）及び正損（正券か損券）を判別し、その判別結果に基づいて正券（再流通可能な券）、損券（損傷が有り再流通不可能な券）、又は判別不能券・搬送異常券・２枚取り券などの排除券に区分して搬送し、区分処理を行うものである。
【０００３】
正券は、正券集積装置の羽根車集積装置で集積され、１００枚に達する毎に紙帯などで施封されて１００枚束が形成される。
【０００４】
損券は、上記同様に羽根車集積装置で集積される場合、又は紙葉類裁断装置に搬送されて直接裁断される場合がある。
【０００５】
排除券は、排除券集積庫に集積される場合と排除券集積装置に集積される場合がある。
【０００６】
上記正券又は損券は羽根車集積装置によって集積される。この羽根車集積装置は、高速に搬送される紙葉類の運動エネルギーを回転する羽根車で吸収しながら所定の位置に集積する手段として知られているが、回転する羽根と羽根の間に紙葉類を取り込む必要があるため、搬送される紙葉類と羽根車の回転の同期を取る必要がある。この同期をとるために、搬送方向に対して、羽根車の搬送方向上流に紙葉類を検知するセンサを配置し、当該センサと羽根車の同期を取る羽根車制御方法、又は紙葉類を取り出す取出ロータに同期させる羽根車制御方法が知られている（例えば、特許文献１）。
【先行技術文献】
【特許文献】
【０００７】
【特許文献１】特開２００２−１９３５１７号公報（第１０頁、図１０）
【発明の概要】
【発明が解決しようとする課題】
【０００８】
以下、図８を参照して従来の紙葉類処理装置の取出ピッチの説明をする。従来の紙葉類処理装置では、取出装置により紙葉類を一定ピッチＴｐで１枚ずつ取り出す（以下、この取出法を定ピッチ取出とする）。この取出した紙葉類を搬送し、一定速度で回転制御される羽根車の羽根と羽根の間に紙葉類を収納することによって紙葉類を集積し、必要に応じて施封を行っている。しかし、一定のピッチで１枚ずつ紙葉類を取り出す定ピッチ取出では、紙葉類を区分処理するために区分ゲートの切り替え時間Ｔｇを確保する必要がある。ここで、区分ゲートの切り替え時間Ｔｇは、通常、紙葉類を処理する処理時間、区分ゲートのゲート切り替え時間を含むものである。しかし、区分ゲートの切り替え時間は紙葉類の処理時間と比較して長いため、紙葉類を処理する処理時間を無視し、Ｔｇは区分ゲートの切り替え時間として以後説明する。
【０００９】
従って、図８に示すように券長（ここで、券長とは、紙葉類の搬送方向の長さをいう）の短い紙葉類を処理する場合には、次の紙葉類までの間に無駄時間Ｔｉが生じ、処理効率の面から従来の紙葉類処理装置は利便性に欠ける。ここで、図８は、紙葉類Ｐ１００〜Ｐ１０２は券長の長い紙葉類、紙葉類Ｐ１１０〜１１２は紙葉類Ｐ１００〜Ｐ１０２よりも券長の短い紙葉類を指し、図示太矢印方向に紙葉類が搬送されている図を示す。
【００１０】
また、様々な券種が取出ロータによって取り出され、混合して搬送される場合にも上記の無駄時間Ｔｉは生じる。更に、このような様々な券種が混合して搬送される場合には羽根車を一定速度で回転制御していては紙葉類を収納するタイミングが券種によって異なるため、確実に紙葉類を集積することが不可能となり、利便性の良いものとは言えない。
【００１１】
そこで、本発明は利便性の良い紙葉類処理装置を提供することを目的とする。
【課題を解決するための手段】
【００１２】
上記目的を達成するために、請求項１記載の紙葉類集積装置は、集積された複数枚の紙葉類を紙葉類間の間隔が一定となるように１枚ずつ取り出す取出装置と、前記取出装置によって取り出された紙葉類を搬送する搬送手段と、前記搬送手段により搬送される紙葉類からこの紙葉類の持つ情報を検出する検出手段と、前記検出手段の検出結果にしたがって前記搬送手段により搬送される紙葉類を区分する区分手段と、回転方向に所定間隔をおいて配置される複数枚の羽根を有し、回転することにより前記羽根と羽根との間に前記区分手段により区分された紙葉類を進入させて所定方向に案内する羽根車と、前記搬送手段によって搬送される紙葉類が第１の位置に到達したことを検知する第１の検知手段と、前記第１の位置よりも第１の距離離れた搬送方向下流の第２の位置に紙葉類が到達したことを検知する第２の検知手段と、前記第１の距離及び前記第１の検知手段によって検知された当該紙葉類が第２の検知手段によって検知されるまでの時間に基づいて前記当該紙葉類の搬送速度を算出する搬送速度算出手段と、前記第２の位置から前記羽根車までの第２の距離及び前記搬送速度算出手段によって算出された搬送速度に基づいて、前記当該紙葉類が前記第２の位置から前記羽根車に到達するまでの到達時間を算出する到達時間算出手段と、前記第２の位置に前記当該紙葉類が到達してから前記到達時間経過後の前記羽根車の各羽根の位置を予測する予測手段と、前記予測手段によって予測される各羽根の位置に基づいて、紙葉類の先端が自ポイントに到達した場合に各羽根の間に適切に収納される収納最適ポイントと前記当該紙葉類の先端との差異が生じるか否かを判定する判定手段と、前記判定手段によって差異が生じると判定されたとき、前記羽根車の回転速度を制御する回転制御手段と、前記羽根車により案内される紙葉類を集積する集積部と、を有することを特徴とする。
【発明の効果】
【００１３】
本発明によれば、利便性の良い紙葉類処理装置を提供することができる。
【図面の簡単な説明】
【００１４】
【図１】本発明の一実施の形態である紙葉類処理装置１の構成図。
【図２】本発明の一実施の形態である紙葉類処理装置１のブロック図。
【図３】紙葉類の取出し説明する簡略側面図。
【図４】定ギャップ取出を示す簡略側面図。
【図５】羽根車１００の回転制御を説明する側面図。
【図６】羽根車１００の制御を示す簡略図。
【図７】羽根車１００、回転盤１１０及び回転検知装置１２０の信号の関係を示す概念図。
【図８】定ピッチ取出における無駄時間を示す図。
【発明を実施するための形態】
【００１５】
以下、図面を参照して本発明の一実施の形態を説明する。
【００１６】
（実施の形態）
図１は、本発明の一実施の形態である紙葉類処理装置１の構成図である。この紙葉類処理装置１は、取出装置１０、搬送装置２０（図２参照）（搬送手段）、紙葉類判別装置３０（検出手段）、排除券集積装置４０、オーディット装置５０、裁断装置６０、紙葉類集積・施封装置７１〜７４（集積部）、エスケープ装置８０及び区分ゲートＧＴ００〜ＧＴ０７（区分手段）などで構成される。
【００１７】
取出装置１０は、処理単位に応じて一括して供給された紙葉類束Ｐｓ（例えば、１０００枚）を供給する供給部及び取出ロータ１２などで構成される。
【００１８】
供給部のバックアッププレート１１ａに載置された紙葉類束Ｐｓの最上面の紙葉類Ｐが取出位置に達すると、当該紙葉類Ｐは取出ロータ１２が１回転する毎に、この取出ロータ１２の回転を検知する回転検知装置（図示しない）によって回転が検知され、この回転によって当該最上面の紙葉類Ｐから順番に１枚ずつ搬送路２０ａに取出される。
【００１９】
搬送装置２０は、搬送上流から下流に向かって搬送路２０ａ上に配置された搬送ローラ及びこの搬送ローラにかけまわされた搬送ベルト及び搬送ローラを駆動する駆動源（図示しない）などで構成される。
【００２０】
取出ロータ１２によって取出された紙葉類Ｐは搬送装置２０によって搬送路２０ａ上を搬送上流から下流に向かって搬送される。この搬送の際、搬送状態の悪い搬送異常券（例えば、搬送位置ずれ、搬送スキューなど）が検知された場合には、区分ゲートＧＴ００によって排除券集積装置４０に搬送されて集積される。搬送状態の悪い紙葉類を搬送すると搬送異常、誤検知、集積異常などのジャムを誘発する場合があるため、このような紙葉類の区分処理を行わずに、操作員による再処理を可能にするためである。
【００２１】
搬送異常券とならずに正常に搬送された紙葉類は、紙葉類判別装置３０によって紙葉類が判別される。この紙葉類判別装置３０は、複数の検知装置で構成され、紙葉類の物理特性及び品質特性を検知し、この検知装置の検知結果に基づいて当該紙葉類を正券、損券及び排除券に区分する。
【００２２】
上述の紙葉類判別装置３０を構成する複数の検知装置は、紙葉類に含有された磁性を検知する磁気検知装置、蛍光を検知する蛍光検知装置、形状を検知する形状検知装置、印刷デザインを検知する券種検知装置、紙葉類の品質を検知する正損検知装置、厚さを検知する厚さ検知装置などで構成される。
【００２３】
この紙葉類判別装置３０による判別の結果、排除券に判別された紙葉類は、区分ゲートＧＴ０１によって排除券集積装置４０に搬送されて集積される。
【００２４】
損券は区分ゲートＧＴ０２及びＧＴ０３によって裁断装置６０に搬送されて裁断される。なお、この裁断装置６０は運用に応じて配置され、損券は後述する紙葉類集積・施封装置７１〜７４に集積して運用するために配置しない場合もある。
【００２５】
また、正券は、区分ゲートＧＴ０１及びＧＴ０２によって紙葉類集積・施封装置７１〜７４に搬送される。
【００２６】
この紙葉類集積・施封装置７１〜７４は、操作表示部（図示しない）から操作員によりいずれの紙葉類集積・施封装置にいずれの紙葉類を集積及び施封処理するかが設定される。例えば、紙葉類集積・施封装置７１〜７３には正券を集積し、紙葉類集積・施封装置７４には損券を集積する。なお、図示したように裁断装置６０が設けられている場合には、上述したようにこの裁断装置６０によって上記損券を裁断する設定を行うことが可能である。
【００２７】
オーディット装置５０は、区分処理される紙葉類の品質を確認するために、指定品質（例えば、正券）の紙葉類を抽出する装置である。
【００２８】
エスケープ装置８０は、紙葉類判別装置３０による判別時は排除券と判別されなかったが、その後に搬送異常が発生し、紙葉類集積・施封装置７１〜７４による集積又は施封処理が出来ないと判別された紙葉類を集積する。紙葉類集積・施封装置７１〜７４による集積不良を防止するためである。
【００２９】
図２は、本発明の一実施の形態に係る紙葉類処理装置１の構成を示すブロック図である。紙葉類処理装置１は、例えばＰＣ（Ｐｅｒｓｏｎａｌ  Ｃｏｍｐｕｔｅｒ）などをメインコントローラＣ１として有している。このメインコントローラＣ１にはデータ蓄積装置１０７が配置され、また、帳票出力プリンタ１０１、表示部１０２及びキーボード・マウスなどの入力装置１０３が接続されている。また、メインコントローラＣ１には例えばＵＳＢ（Ｕｎｉｖｅｒｓａｌ  Ｓｅｒｉａｌ  Ｂｕｓ）Ｕ１などのインタフェースを通じて、紙葉類処理装置１内の各部の制御を行うコントローラであるトランスポートコントローラＣ２、バンダーコントローラＣ３、検知コントローラＣ４が接続されている。
【００３０】
トランスポートコントローラＣ２は、メインコントローラＣ１による管理の下、取出装置１０、搬送装置２０、紙葉類判別装置３０、排除券集積装置４０、オーディット装置５０、裁断装置６０、エスケープ装置８０、紙葉類集積・施封装置７１〜７４などの制御を行う。
【００３１】
バンダーコントローラＣ３は、メインコントローラＣ１による管理の下、紙葉類集積・施封装置７１〜７４内の集積施封ユニット７１ａ〜７４ａの制御を行うとともに、回転検知装置７１ｂ〜７４ｂ（回転検知装置７１ｂ〜７４ｂは後述の各羽根車毎にあるが、特に区別して説明する必要がない限り総称して回転検知装置１２０とする）及び各羽根車（羽根車は紙葉類集積・施封装置７１〜７４毎にあるが、特に区別して説明する必要がない限り総称して羽根車１００とする）の制御を行う羽根車制御装置７１ｃ〜７４ｃなどの制御を行う。
【００３２】
更に、使用態様によっては、メインコントローラＣ１はＬＡＮ（Ｌｏｃａｌ  Ａｒｅａ  Ｎｅｔｗｏｒｋ）Ｌを通じてネットワークサーバ１０４と接続され、このネットワークサーバ１０４を通じて他の紙葉類処理装置１０５などと通信可能に接続される。
【００３３】
検知コントローラＣ４は、メインコントローラＣ１による管理の下、紙葉類判別装置３０の制御を行う。
【００３４】
図３は、取出装置１０の断面図である。取出ロータ１２の内部には、図示しない真空ポンプにチューブが繋がる回転しない真空チャンバ１１があり、その１箇所に穴１３が開いて、紙葉類Ｐの取出先端部分に配置されている。また、取出ロータ１２の回転する外周にも吸着用の穴１４が開いている。取出ロータ１２の外周が回転し、バックアッププレート１１ａに積載され、バックアッププレート１１ａにより上方（図示矢印Ａ方向）に付圧された紙葉類束Ｐｓの最上面の紙葉類が取出位置に達すると、最上面の紙葉類Ｐは真空ポンプの圧力より吸着され、搬送路２０ａへ取出される。搬送路２０ａの入り口には図示しない２枚取り防止ブロックが設置され、２枚目の紙葉類が搬送路２０ａに挿入されるのを防いでいる。搬送路２０ａは、対峙された２枚、２組計４本のベルトから構成され、紙葉類の２箇所を挟持し搬送する。
【００３５】
搬送路２０ａの途中には、紙葉類の存在を確認する発光部と受光部とからなる搬送センサＰＣ０１〜ＰＣ２５（図１参照）が配置されている。紙葉類が発光部の光を防ぎ、受光部が受光出来ないと搬送センサＰＣ０１〜ＰＣ２５の信号は「暗」となり、紙葉類の存在（以下、券影とする）が検出される。
【００３６】
取出ロータ１２の外周部が回転するたびに、バックアッププレート１１ａに積載された紙葉類束Ｐｓの最上面の紙葉類Ｐが、搬送路２０ａに取り出される。この取出ロータ１２の外周部の回転を制御することで、紙葉類の取出間隔が制御される。トランスポートコントローラＣ２は、搬送センサＰＣ０１（第３の検知手段）の信号（以下、券影信号とする）が「暗」から「明」となった時点（紙葉類の後端を検出：後端検出）から、一定時間Ｔｋ（図４参照）後に、次の紙葉類を取出す（以下、この取出法を定ギャップ取出とする）。この様に、取出ロータ１２の外周部を回転させるモータを制御し、この制御によって、搬送される紙葉類の間隔（搬送間隔）を一定（Ｌｋ）にすることが出来る（図４参照）。
【００３７】
図４は、取出ロータ１２によって搬送間隔が一定（Ｌｋ）となるよう取り出された紙葉類Ｐ１、Ｐ２、Ｐ３が搬送路２０ａを図示太矢印方向に搬送される図を示している。この図は、券長が同一の紙葉類が搬送される場合と、券長が異なる紙葉類が搬送される場合とを各々搬送センサＰＣ０１の券影信号とともに図示した。
【００３８】
次に、羽根車１００の回転制御に関して図５を用いて説明する。図５は、羽根車１００と羽根車１００近傍の搬送路２０ａと搬送センサＰＣ１５〜ＰＣ１８を示す。搬送路２０ａを搬送されてきた紙葉類は、搬送センサＰＣ１５、ＰＣ１６に達し、ＧＴ０４によって区分され、ＰＣ１７或いはＰＣ１８に達し、終端の各紙葉類・集積施封装置７１〜７４のいずれかに集積される（上述のように使用態様によって紙葉類・集積施封装置７１〜７４のいずれに集積されるかは任意に設定可能である）。
【００３９】
その際、搬送装置２０は、搬送センサＰＣ１５（搬送センサＰＣ１５の配置されている位置：第１の位置）（第１の検知手段）から距離Ｌ１（第１の距離）離間した搬送センサＰＣ１６（搬送センサＰＣ１６の配置されている位置：第２の位置）（第２の検知手段）に達するまでの時間Ｔ１を計測する。
【００４０】
また、搬送装置２０は、この間の搬送速度を上述の距離Ｌ１と計測した時間Ｔ１に基づき搬送速度Ｖ１を算出する（搬送速度算出手段）。搬送速度Ｖ１は下式（１）の様に表わされる。
【００４１】
Ｖ１＝Ｌ１／Ｔ１・・・・・（１）
また、搬送装置２０は、搬送センサＰＣ１６から羽根車１００までの搬送路２０ａに沿って測った距離（Ｌ２＋Ｌ３）（第２の距離）及び上述の搬送速度Ｖ１に基づき、紙葉類が搬送センサＰＣ１６に到達してから羽根車１００に到達するまでの到達時間Ｔ２を算出する（到達時間算出手段）。到達時間Ｔ２は、上述の搬送速度Ｖ１及び距離（Ｌ２＋Ｌ３）を用いて下式の様に表わされる。
【００４２】
Ｔ２＝（Ｌ２＋Ｌ３）／Ｖ１・・・・・（２）
図６は、羽根車１００の回転の検知及び回転制御を説明する図である。一方、羽根車１００は回転盤１１０と軸１４０により同軸上に軸支され、羽根車制御モータ１３０（羽根車制御モータは各羽根車毎にあるが、特に区別して説明する必要がない限り総称し羽根車制御モータ１３０とする）はこの羽根車１００の回転速度を制御する（図６参照）。
【００４３】
図７は、羽根車１００と回転検知装置１２０との関係を回転検知装置１２０の検知信号とともに示した図である。図７に示すように羽根車１００の各羽根Ｆ１〜Ｆ８は、この回転盤１１０の各スリットＳ１〜Ｓ８に対応している。また、回転検知装置１２０（図６参照）は、このスリットＳ１〜Ｓ８を検知する（検知信号：「暗」から「明」）ことにより回転盤１１０の回転角度を検知し、各羽根Ｆ１〜Ｆ８の位置を把握することができる（予測手段）。
【００４４】
この回転検知装置１２０によって紙葉類Ｐが搬送センサＰＣ１６に到達してからの時間Ｔ２後の羽根の位置を予測し、羽根と羽根の中心位置Ｃと搬送センサＰＣ１６に到達した紙葉類Ｐの時間Ｔ２後の先端の位置ＰＬ１の差異Ｔａｊ（図５参照）を算出する（判定手段）。
【００４５】
尚、本実施例においては羽根と羽根の中心位置Ｃに紙葉類Ｐの先端が到達したとき紙葉類Ｐが羽根と羽根の間に適切に収納がされるものする（この紙葉類Ｐが各羽根の間に適切に収納されるポイント：収納最適ポイント）。必要に応じて適切に収納がされる位置は中心位置Ｃからずらしても良い。その場合は、中心位置Ｃからずらした位置と搬送センサＰＣ１６に到達した紙葉類Ｐの時間Ｔ２後の先端の位置ＰＬ１との差異をＴａｊとする。
【００４６】
もし、紙葉類Ｐの先端の到達が、羽根と羽根の中心位置よりも早いと予測されるときは、羽根車制御装置７１ｃにより制御される羽根車制御モータ１３０を遅く回転制御し、反対に到達が遅いと予測されるときは、羽根車制御モータ１３０を速く回転制御する（回転制御手段）。この制御によって、紙葉類Ｐは羽根と羽根の間に収納され、図示しない掻き出し板により紙葉類集積・施封装置７１へ集積される。ここでは、紙葉類集積・施封装置７１へ集積される場合を説明したが、紙葉類集積・施封装置７２〜７４へ集積される場合も同様であるため説明は省略する。
【００４７】
以上のように、本発明によれば、処理する紙葉類の券長の長短による無駄時間Ｔｉが発生せず、確実に集積することが可能となる処理効率の良い紙葉類処理装置を提供することができる。また、本実施例においては、券長の同じ紙葉類が連続して搬送される例を説明したが、券種の異なる紙葉類が混合して搬送される場合も同様に無駄時間を発生させることなく、確実に紙葉類集積・施封装置に集積させることができるため、高い処理効率を発揮することができる。
【００４８】
なお、この発明は、上述した実施の形態に限定されるものではなく、実施段階ではその要旨を逸脱しない範囲で構成要素を変形して具現化できる。
【符号の説明】
【００４９】
Ｃ１  メインコントローラ
Ｃ２  トランスポートコントローラ
Ｃ３  バンダーコントローラ
Ｃ４  検知コントローラ
Ｕ１  ＵＳＢ（Ｕｎｉｖｅｒｓａｌ  Ｓｅｒｉａｌ  Ｂｕｓ）
Ｌ  ＬＡＮ（Ｌｏｃａｌ  Ａｒｅａ  Ｎｅｔｗｏｒｋ）
Ｕ２  ＵＳＢハブ
ＰＣ０１〜ＰＣ２５  搬送センサ
ＧＴ００〜ＧＴ０７  区分ゲート
Ｆ１〜Ｆ８  羽根
Ｓ１〜Ｓ８  スリット
Ｐｓ  紙葉類束
１  紙葉類処理装置
１０  取出装置
１１  真空チャンバ
１２  取出ロータ
１３、１４  穴
１１ａ  バックアッププレート
２０  搬送装置
２０ａ  搬送路
３０  紙葉類判別装置
４０  排除券集積装置
５０  オーディット装置
６０  裁断装置
７１〜７４  紙葉類集積・施封装置
７１ａ〜７４ａ  集積施封ユニット
７１ｂ〜７４ｂ  回転検知装置
７１ｃ〜７４ｃ  羽根車制御装置
８０  エスケープ装置
１０１  帳票出力プリンタ
１０２  表示部
１０３  入力装置
１０４  ネットワークサーバ
１０５  紙葉類処理装置
１１０  回転盤
１３０  回転制御モータ
【図１】
2010238152.tif 000003
【図２】
2010238152.tif 000004
【図３】
2010238152.tif 000005
【図４】
2010238152.tif 000006
【図５】
2010238152.tif 000007
【図６】
2010238152.tif 000008
【図７】
2010238152.tif 000009
【図８】
2010238152.tif 000010